(57)【要約】【課題】工事不要で誰にでも簡単にドアに取付けられ、片手で鍵の開閉が出来、取外し不要で、ドア鍵のラッチボルト、デッドボルト部を保護するガード付で、ワンドア・ツーロックにもなるピッキング防止カバーを提供する。【解決手段】ガード（１）にＬ字曲げ部（２）を設け、ネジ穴（３）とドア鍵穴（４）、固定リング用穴（５）を設け、クッション（６）を固定して設け、カム（７）を有する鍵（８）を設けたケース（９）を固定して設け、そのケース（９）にヒンジ（１０）と、穴付プレート（１１）を有するカバー（１２）を設けたことを特長とする。又、ガード（１）に、固定リング用穴（５）のかわりに丸座用穴（１３）を設けても良いし、ガード（１）に、切り欠き部（１４）を設けた変化形もある。【選択図】　　　図４
2004052516.tif 000002
【特許請求の範囲】
【請求項１】
ガード（１）にＬ字曲げ部（２）を設け、ネジ穴（３）とドア鍵穴（４）、固定リング用穴（５）を設け、クッション（６）を固定して設け、カム（７）を有する鍵（８）を設けたケース（９）を固定して設け、そのケース（９）にヒンジ（１０）と穴付プレート（１１）を有するカバー（１２）を設けてなる、ピッキング防止カバー。
【請求項２】
請求項１のガード（１）の固定リング用穴（５）のかわりに、丸座用穴（１３）を設けたことを特長としたピッキング防止カバー。
【請求項３】
請求項１のガード（１）の固定リング用穴（５）の部分を切り欠いた、切り欠き部（１４）を設けたことを特長としたピッキング防止カバー。
【発明の詳細な説明】
【０００１】
【発明に属する技術分野】
本発明は、ドアの鍵穴をカバーすることにより、ピッキングを防止し、ドア鍵のラッチボルト、デッドボルト部をガードすることにより、不正なドアの解除を防止し、ワンドア・ツーロックになる取外し不要で、工事も不要のピッキング防止カバーに関するものである。
【０００２】
【従来の技術】
従来、ピッキングの防止は、ドアの鍵を取り替えたり、ドアに穴明けて鍵を追加して、ワンドア・ツーロックにしていた。又、ピッキング防止カバーは、ドア鍵ケースとドアのスキマに差し込み固定したり、ドアの開閉の度に取り外す鍵のカバーをつけたりしていた。又、外出時、ドアと壁のスキマに突起物を室外に設けて、ドアを開けるのを困難にしたり、模造の鍵穴をドアに貼り付けていたし、ガードとピッキング防止カバーは別々に取り付けていた。
【０００３】
【発明が解決しようとする課題】
これには、次のような欠点があった。
イ．ガードとピッキング防止カバーを別々に取り付けるのは面倒である。
ロ．ドア鍵ケースとドアのスキマに差し込み固定するのは、ドア鍵ケースが動かなければ取り付けられないし、移動量も必要になる。
ハ．ドア鍵の取り替えや、鍵を追加してワンドア・ツーロックにするのには、業者に頼んだり、ドアに穴を明けたり面倒である。
ニ．ドアの鍵の開閉の度に鍵のカバーを取り外すのは面倒である。又、片手では出来ない。
ホ．外出時、ドアと壁のスキマに突起物を室外に設けるのは、外出中であることがわかってしまう。
ヘ．模造の鍵穴は見破られる可能性大である。
本発明は、これらの欠点を除くためになされたものである。
【０００４】
【課題を解決するための手段】
ガード（１）にＬ字曲げ部（２）を設け、ネジ穴（３）とドア鍵穴（４）、固定リング用穴（５）を設け、クッション（６）を固定して設け、カム（７）を有する鍵（８）を設けたケース（９）を固定して設け、そのケース（９）にヒンジ（１０）と、穴付プレート（１１）を有するカバー（１２）を設けてなる、ピッキング防止カバー。
請求項２に記載したピッキング防止カバーは、請求項１のガード（１）の固定リング用穴（５）のかわりに、丸座用穴（１３）を設けたことを特長としたピッキング防止カバー。
請求項３に記載したピッキング防止カバーは、請求項１のガード（１）の固定リング用穴（５）の部分を切り欠いた、切り欠き部（１４）を設けたことを特長としたピッキング防止カバー。
本発明は以上の構成よりなるピッキング防止カバーである。
【０００５】
【発明の実施の形態】
以下、本発明の実施の形態について図を利用しながら説明する。
図１から図４において、
（イ）　ガード（１）にＬ字曲げ部（２）設ける。
（ロ）　ガード（１）にネジ穴（３）とドア鍵穴（４）、固定リング用穴（５）を設ける。
（ハ）　ガード（１）に、クッション（６）を固定して設ける。
（ニ）　ガード（１）に、カム（７）を有する鍵（８）設けたケース（９）を固定して設ける。
（ホ）　ケース（９）にヒンジ（１０）と穴付プレート（１１）を有するカバー（１２）を設ける。
（ヘ）　図５に示す本発明の第二実施形態においては、ガード（１）の固定リング用穴（５）のかわりに丸座用穴（１３）を設け、これにより第一実施形態のものとは、ドア（１５）に固定する場所が異なる。
（ト）　図６に示す本発明の第三実施形態においては、ガード（１）の固定リング用穴（５）の部分を切り欠いた、切り欠き部（１４）を設け、これにより第一実施形態のものとは、ドア（１５）に固定する場所が異なる。
本発明は、以上のような構成で、請求項１のピッキング防止カバーを使用する時は、ドア（１５）の取付ネジ（１６）を外し、セットネジ（１７）を緩めてハンドル（１８）を抜き、丸座（１９）を外して、固定リングネジ（２０）を外して、固定リング（２１）を外し、ドア鍵穴（４）にドア鍵（２２）を入れて装着し、外した時と逆の手順で取り付け、取付ネジ（１６）と固定リングネジ（２０）にてドア（１５）に固定する。
請求項２のピッキング防止カバーを使用する時は、ドア（１５）の取付ネジ（１６）を外し、セットネジ（１７）を緩めてハンドル（１８）を抜き、丸座（１９）を外して、ドア鍵穴（４）にドア鍵（２２）を入れて装着し、外した時と逆の手順で取り付け、取付ネジ（１６）と丸座（１９）にてドア（１５）固定する。請求項３のピッキング防止カバーを使用する時は、ドア（１５）の取付ネジ（１６）を外し、ドア鍵穴（４）にドア鍵（２２）を入れて装着し、外した取付ネジ（１６）を取り付け、ドア（１５）に固定する。
鍵（８）の開閉でカム（７）が、穴付プレート（１１）の穴に出入りし、カバー（１２）が開閉出来、ドア鍵（２２）が見え隠れするので、ドア鍵の開閉が容易に出来るし、ガード（１）のＬ字曲げ部（２）で、ドア鍵（２２）のラッチボルト（２３）、デッドボルト（２４）を保護もするし、取外し不要である。
尚、ガード（１）はドア（１５）と両面テープ、接着剤、磁石又は粘着性のあるゴム等にて固定することもできるし、カバー（１２）の開け方は、左右上下どの方向にでもすることが出来る。
【０００６】
【発明の効果】
鍵を開にしカバーを開けると、ドアの鍵穴が見え、カバーを閉めて鍵を閉にするとドアの鍵穴が隠れるので、ケースを取り外す必要がなく、ドアの鍵の開閉が片手で簡単に出来、取付ける時業者に頼む必要がないし、クッションが付いてるのでドアにキズもつがない。又、ガードにＬ字曲げ部が付いてるので、ドア鍵のラッチボルト、デットボルトを保護し、不正なドアの解除を防止し、しかもワンドア・ツーロックにもなるので、防犯性が大きく向上する。
【図面の簡単な説明】
【図１】本発明をドアに装着した状態を示す正面図である。
【図２】本発明をドアに装着した時の底面から見た要部断面図である。
【図３】本発明をドアに装着した時の右から見た要部断面図である。
【図４】本発明を装着している状態を示す斜視図である。
【図５】本発明を固定リングを外さずに装着している状態を示す斜視図である。
【図６】本発明をハンドルを外さず装着している状態を示す斜視図である。
【符号の説明】
１．ガード
２．Ｌ字曲げ部
３．ネジ穴
４．ドア鍵穴
５．固定リング用穴
６．クッション
７．カム
８．鍵
９．ケース
１０．ヒンジ
１１．穴付プレート
１２．カバー
１３．丸座用穴
１４．切り欠き部
１５．ドア
１６．取付ネジ
１７．セットネジ
１８．ハンドル
１９．丸座
２０．固定リングネジ
２１．固定リング
２２．ドア鍵
２３．ラッチボルト
２４．デッドボルト
【図１】
2004052516.tif 000003
【図２】
2004052516.tif 000004
【図３】
2004052516.tif 000005
【図４】
2004052516.tif 000006
【図５】
2004052516.tif 000007
【図６】
2004052516.tif 000008